(57)【要約】【課題】  容器内に封入した粘性を有する内容物が、蓋体内面に付着した場合においても、蓋体を容易に取外すことができるようにする。【解決手段】  容器本体２の上端部を段差面９を介して縮径した筒体部１０に、蓋体３を被冠させる型式の容器において、前記筒体部１０の外側に、蓋体取外し用補助具１５を、回動可能に取付けるとともに、前記段差面９を、側面視において、山部１６と谷部１７とを有する波状または鋸歯状に形成し、蓋体取外し用補助具１５における、前記段差面９と補形をなす下面１８と、前記段差面９とを当接させて、蓋体取外し用補助具１５を回動させることにより、蓋体取外し用補助具１５の上面２１が、蓋体３の下端３ａに当接して、蓋体３を押し上げるようにする。【選択図】        図３
2006256633.tif 000002
【特許請求の範囲】
【請求項１】
容器本体の上端部を段差面を介して縮径し、この縮径された筒体部に、蓋体を上方から押圧して被冠させる型式の容器において、
容器本体の前記縮径された筒体部の外側に、蓋体取外し用補助具を、容器本体の軸線回りに回動可能に取付けるとともに、容器本体における前記段差面を、側面視において、山部と谷部とを有する波状または鋸歯状に形成し、蓋体取外し用補助具における、突出部を設けた下面と、前記波状または鋸歯状の段差面とを当接させて、蓋体取外し用補助具を回動させることにより、前記蓋体取外し用補助具を小幅に昇降移動させて、前記上昇移動時に、蓋体取外し用補助具の上面が、蓋体の下端に当接して、蓋体を押し上げるようにしたことを特徴とする蓋体取外し用補助具を備える容器。
【請求項２】
蓋体取外し用補助具を、平面視においてリング状とし、その下面を、側面視において、容器本体の段差面の形状と補形をなす波状または鋸歯状に形成したことを特徴とする請求項１記載の蓋体取外し用補助具を備える容器。
【請求項３】
蓋体取外し用補助具の少なくとも一部を、蓋体または容器本体の外周面よりも外側に突出させたことを特徴とする請求項１または２記載の蓋体取外し用補助具を備える容器。
【請求項４】
蓋体取外し用補助具が、容器本体から離脱しないように、容器本体の縮径された筒体部の外周面に、蓋体取外し用補助具と係止する離脱防止用係止部を設けたことを特徴とする請求項１〜３のいずれかに記載の蓋体取外し用補助具を備える容器。
【請求項５】
容器が、固形糊繰出用容器、その他の糊用容器、化粧品用容器、薬品用容器、食品用容器のいずれかであることを特徴とする請求項１〜４のいずれかに記載の蓋体取外し用補助具を備える容器。
【発明の詳細な説明】
【技術分野】
【０００１】
本発明は、固形糊繰出用容器を初めとする糊用容器や口紅等の化粧品用容器等のように、蓋体を、上方から押圧して、容器本体に被冠させる型式の容器に関し、特に蓋体取外し用補助具を備える容器に関する。
【背景技術】
【０００２】
蓋体を、上方から押圧して、容器本体に被冠させる型式の容器は、糊用容器、化粧品用容器、薬品用容器、食品用容器等として、広い分野に亘って使用されている。
【０００３】
しかし、かかる型式の容器においては、蓋体を取外す場合、片手で容器本体を掴み、他方の手で蓋体を上方に向けて引張ることになるが、容易に蓋体を取外すことができない場合がある。
【０００４】
特に、容器の内部に粘性を有する内容物、たとえば糊、ワセリン、口紅等が封入されている場合には、これらの粘性内容物の一部が蓋体の内面に付着し、そのため、蓋体の取外しに大きな力を要し、容易に取外し難い場合がある。
【０００５】
たとえば、固形糊繰出用容器の場合、従来のものは、図８に示すように、固形糊繰出用容器(01)における容器本体(02)の上端部が、段差面(03)を介して縮径され、この縮径筒体部(04)に、蓋体(05)を上方から押圧して被冠させるようになっている（たとえば、特許文献１）。
【０００６】
しかし、容器本体(02)内に装填されている固形糊(06)の端部を突出させて使用を繰り返すうちに、固形糊(06)の一部が、蓋体(05)の内面に付着し、蓋体(05)を容易に取外し難くなる場合がある。
【特許文献１】特公平８−５５０２号公報
【発明の開示】
【発明が解決しようとする課題】
【０００７】
本発明は、前記の現状に鑑み、容器内に粘性を有する内容物を封入し、この内容物が蓋体内面に付着した場合においても、蓋体を容易に取外すことができるようにした容器を提供することを目的とする。
【課題を解決するための手段】
【０００８】
上記課題は、特許請求の範囲における各請求項に示すように、下記の構成を備える発明によって解決される。
(１)  容器本体の上端部を段差面を介して縮径し、この縮径された筒体部に、蓋体を上方から押圧して被冠させる型式の容器において、容器本体の前記縮径された筒体部の外側に、蓋体取外し用補助具を、容器本体の軸線回りに回動可能に取付けるとともに、容器本体における前記段差面を、側面視において、山部と谷部とを有する波状または鋸歯状に形成し、蓋体取外し用補助具における、突出部を設けた下面と、前記波状または鋸歯状の段差面とを当接させて、蓋体取外し用補助具を回動させることにより、前記蓋体取外し用補助具を小幅に昇降移動させて、前記上昇移動時に、蓋体取外し用補助具の上面が、蓋体の下端に当接して、蓋体を押し上げるようにした蓋体取外し用補助具を備えた容器とする。
【０００９】
(２)  上記(１)項において、蓋体取外し用補助具を、平面視においてリング状とし、その下面を、側面視において、容器本体の段差面の形状と補形をなす波状または鋸歯状に形成する。
【００１０】
(３)  上記(１)項または(２)項において、蓋体取外し用補助具の少なくとも一部を、蓋体または容器本体の外周面よりも外側に突出させる。
【００１１】
(４)  上記(１)項〜(３)項のいずれかにおいて、蓋体取外し用補助具が、容器本体から離脱しないように、容器本体の縮径された筒体部の外周面に、蓋体取外し用補助具と係止する離脱防止用係止部を設ける。
【００１２】
(５)  上記(１)項〜(４)項のいずれかにおいて、容器が、固形糊繰出用容器、その他の糊用容器、化粧品用容器、薬品用容器、食品用容器のいずれかとする。
【発明の効果】
【００１３】
本発明によると、次のような効果が奏せられる。
請求項１記載の発明によれば、指で掴んで回動させることが容易な蓋体取外し用補助具を回動させることにより蓋体が押し上げられるため、容器本体内に封入されて、蓋体の内面に付着している糊等の粘性を有する内容物と、蓋体の内面との接触が切断され、蓋体の容器本体からの取外しが容易になる。
【００１４】
請求項２記載の発明によれば、蓋体を回動させることにより、小幅に昇降移動し、上昇移動時に、蓋体を押し上げる機能を有する蓋体取外し用補助具を容易に製作することができる。
【００１５】
請求項３記載の発明によれば、蓋体取外し用補助具の位置を容易に視認することができるばかりでなく、蓋体取外し用補助具を回動させる操作が容易になる。
【００１６】
請求項４記載の発明によれば、蓋体を取外した状態において、蓋体取外し用補助具が容器本体から脱落して紛失することを防止することができる。
【００１７】
請求項５記載の発明によれば、糊のほかに、口紅、クリーム状の化粧品、軟膏、ワセリンなどの薬品、バター、チョコレート等の食品等のように粘性を有する各種の内容物を封入した容器における蓋体の取外しを容易に行うことができる。
【発明を実施するための最良の形態】
【００１８】
図１は、本発明を、固形糊繰出用容器に適用した場合の上方斜視図、図２は、図１に示した固形糊繰出用容器を一部破断して示す縦断面図、同じく、図３は、要部分解斜視図、図４は、要部拡大分解側面図、図５，図６は、要部拡大側面図である。
【００１９】
本発明の固形糊繰出用容器(１)は、容器本体(２)と、この容器本体(２)に被冠される蓋体(３)と、容器本体(２)の下端に装着された尾栓(４)と、尾栓(４)と一体に形成されたねじ杆(５)と、このねじ杆(５)に螺合されたスライダー(６)とにより構成されている。
【００２０】
尾栓(４)を回動させることにより、スライダー(６)は、ねじ杆(５)との螺合と、容器本体(２)の内周面に軸線方向に設けられた案内突条(７)による案内とによって、容器本体(２)内を昇降するようになっている。
【００２１】
蓋体(３)を取外して、尾栓(４)を回動させることにより、スライダー(６)に後端(8a)が保持されている固形糊(８)の前端(8b)が、容器本体(２)から出没し、使用に供することができる。
【００２２】
図２，図３に示すように、容器本体(２)は、その上端部が段差面(９)を介して縮径され、この縮径された筒体部(10)に、蓋体(３)が、上方から押圧して被冠されるようになっている。
【００２３】
蓋体(３)の内周面(11)には、係止突起(12)が設けられており、この係止突起(12)を、前記筒体部(10)の外周面(13)に全周に亘って設けられている突環状係止部(14)に係止させることにより、蓋体(３)が容器本体(２)から脱落しないようになっている。
【００２４】
容器本体(２)の縮径された前記筒体部(10)の外側における前記段差面(９)と蓋体(３)の下端(3a)との間には、平面視においてリング状の蓋体取外し用補助具(15)が、容器本体(２)の軸線回りに回動可能に取付けられている。蓋体取外し用補助具(15)の外径は、容器本体(２)および蓋体(３)の外径よりも大きく形成されている。
【００２５】
図３，図４に示すように、容器本体(２)における前記段差面(９)は、側面視において、浅Ｖ状の山部(16)と谷部(17)とを有する波状に形成されている。
【００２６】
一方、蓋体取外し用補助具(15)の下面(18)は、側面視において、容器本体(２)の段差面(９)の形状と補形をなすように、浅Ｖ状の凹入部(19)と突出部(20)とを有する波状に形成されている。
【００２７】
固形糊(８)が装着された固形糊繰出用容器(１)は、最初に使用を開始する以前、あるいは使用後に、再び蓋体(３)を容器本体(２)に被冠させた状態では、図５に示すように、蓋体取外し用補助具(15)の下面(18)と、容器本体(２)の段差面(９)の両者における凹入部(19)と山部(16)、および突出部(20)と谷部(17)は、それぞれ当接している。
【００２８】
このような状態において、固形糊(８)の一部が、蓋体(３)の内周面(11)に付着（図２参照）して、蓋体(３)の取外しに大きな力を必要とするなど、蓋体(３)の取外しが容易でなくなった場合には、図６に示すように、蓋体取外し用補助具(15)を、平面視において右回り、または左回りに回動させて、蓋体取外し用補助具(15)の下面(18)における突出部(20)が、容器本体(２)の段差面(９)における山部(16)とほぼ当接し、かつ蓋体取外し用補助具(15)の下面(18)における凹入部(19)が、容器本体(２)の段差面(９)における谷部(17)から離間するような位置に移動させる。
【００２９】
このように蓋体取外し用補助具(15)を回動させることにより、蓋体取外し用補助具(15)は、図６において矢印Ａで示す向きに、容器本体(２)の段差面(９)における山部(16)と谷部(17)間の高低差Ｂだけ上昇し、同時に蓋体(３)は、その下端(3a)が、蓋体取外し用補助具(15)の上面(21)に当接しているため、前記高低差Ｂだけ押し上げられる。
【００３０】
蓋体(３)が押し上げられることによって、蓋体(３)の内周面(11)に付着して蓋体(３)の動きを拘束していた固形糊(８)と、蓋体(３)の内周面(11)との接触が切断されるため、蓋体(３)を容易に取外すことができるようになる。
【００３１】
なお、図６に示すように、蓋体取外し用補助具(15)の内周面(23)は、その下部において、段差面(24)を介して縮径されている。この段差面(24)に、容器本体(２)における縮径された筒体部(10)の外周面(13)に設けられた離脱防止用係止部(25)が係止しうるようになっている。これによって、蓋体(３)を取外した際に、蓋体取外し用補助具(15)が上向きに移動して、容器本体(２)から離脱してしまうことが防止されている。
【００３２】
図７は、本発明の固形糊繰出用容器(22)の別の実施形態を示す要部拡大分解側面図であり、図４に相当する図である。
【００３３】
容器本体(26)は、その上端部が段差面(27)を介して縮径されており、この縮径された筒体部(28)に、蓋体取外し用補助具(29)が回動可能に取付けられるようになっている。
【００３４】
容器本体(26)における前記段差面(27)は、側面視において、山部(30)と谷部(31)とを有する鋸歯状に形成されている。
【００３５】
一方、蓋体取外し用補助具(29)の下面(32)は、側面視において、容器本体(26)の段差面(27)の形状と補形をなし、凹入部(33)と突出部(34)を有する鋸歯状に形成されている。
【００３６】
通常は、蓋体取外し用補助具(29)の下面(32)と、容器本体(26)の段差面(27)の両者における凹入部(33)と山部(30)、および突出部(34)と谷部(31)が、それぞれ当接した状態にある。このような状態において、蓋体（図示省略）の取外しが容易でなくなった場合には、蓋体取外し用補助具(29)を、平面視において右回りに回動させて、仮想線で示すように、蓋体取外し用補助具(29)の下面(32)における突出部(34)が、容器本体(26)の段差面(27)における山部(30)付近と当接するような位置に移動させる。
【００３７】
このように蓋体取外し用補助具(29)を回動させることにより、蓋体取外し用補助具(29)は、容器本体(26)の段差面(27)における山部(30)と谷部(31)の高低差Ｃだけ上昇し、同時に、蓋体(35)は、その下端が蓋体取外し用補助具(29)の上面に当接しているため、同じく前記高低差Ｃだけ押し上げられる。
【００３８】
蓋体(35)が押し上げられることによって、蓋体(35)の内周面に付着して蓋体(35)の動きを拘束していた固形糊と、蓋体(35)の内周面との接触が切断されるため、蓋体(35)を容易に取外すことができるようになる。
【図面の簡単な説明】
【００３９】
【図１】本発明を、固形糊繰出用容器に適用した場合の上方斜視図である。
【図２】図１に示した固形糊繰出用容器を一部破断して示す縦断面図である。
【図３】同じく、固形糊繰出用容器の要部分解斜視図である。
【図４】同じく、固形糊繰出用容器の要部拡大分解側面図である。
【図５】同じく、固形糊繰出用容器の要部拡大側面図である。
【図６】同じく、固形糊繰出用容器の要部拡大側面図である。
【図７】本発明の固形糊繰出用容器の別実施形態を示す要部拡大分解側面図である。
【図８】従来の固形糊繰出用容器の要部分解斜視図である。
【符号の説明】
【００４０】
(１)固形糊繰出用容器
(２)容器本体
(３)蓋体
(3a)下端
(４)尾栓
(５)ねじ杆
(６)スライダー
(７)案内突条
(８)固形糊
(8a)後端
(8b)前端
(９)段差面
(10)筒体部
(11)内周面
(12)係止突起
(13)外周面
(14)突環状係止部
(15)蓋体取外し用補助具
(16)山部
(17)谷部
(18)下面
(19)凹入部
(20)突出部
(21)上面
(22)固形糊繰出用容器
(23)内周面
(24)段差面
(25)離脱防止用係止部
(26)容器本体
(27)段差面
(28)筒体部
(29)蓋体取外し用補助具
(30)山部
(31)谷部
(32)下面
(33)凹入部
(34)突出部
(35)蓋体
(01)固形糊繰出用容器
(02)容器本体
(03)段差面
(04)縮径筒体部
(05)蓋体
(06)固形糊
【図１】
2006256633.tif 000003
【図２】
2006256633.tif 000004
【図３】
2006256633.tif 000005
【図４】
2006256633.tif 000006
【図５】
2006256633.tif 000007
【図６】
2006256633.tif 000008
【図７】
2006256633.tif 000009
【図８】
2006256633.tif 000010